(57)【要約】  キー操作受付処理部１４により切替操作が受け付けられる毎に、オペレーション制御部１５により更新された表示対象の表示項目を示す表示項目履歴を更新する表示項目履歴更新部１６と、表示項目履歴更新部１６により更新された表示項目履歴が示す表示項目の更新順序に基づいてオペレータによる切替操作の熟練度を評価する熟練度評価部１７とを設け、無操作時間更新部１８が、熟練度評価部１７により評価された熟練度にしたがって無操作時間ＴＮｏｐを更新し、更新後の無操作時間ＴＮｏｐを無操作タイマ１９に設定する。
2016006078.tif 000002
【特許請求の範囲】
【請求項１】
表示器に対する複数の表示項目の階層構造を記憶している階層構造記憶手段と、
前記複数の表示項目のうち、予め設定されている初期表示対象の表示項目に対応するデータを前記表示器に表示する初期表示手段と、
オペレータによる表示項目の切替操作を受け付ける切替操作受付手段と、
前記切替操作受付手段により受け付けられた切替操作と前記階層構造記憶手段により記憶されている階層構造にしたがって表示対象の表示項目を更新し、前記表示器の表示内容を更新後の表示対象の表示項目に対応するデータに切り替える表示切替手段と、
前記表示切替手段により前記表示器の表示内容が切り替えられてから、予め設定された無操作時間に到達するまでの間に、前記切替操作受付手段により新たな切替操作が受け付けられない場合、前記表示器の表示内容を前記初期表示対象の表示項目に対応するデータに戻す表示リセット手段と、
前記オペレータによる表示項目の切替操作の熟練度を評価する熟練度評価手段と、
前記熟練度評価手段による熟練度の評価結果にしたがって前記無操作時間を更新する無操作時間更新手段と
を備えた表示制御装置。
【請求項２】
前記熟練度評価手段は、前記切替操作受付手段により切替操作が受け付けられる毎に、前記表示切替手段により更新された表示対象の表示項目を示す表示項目履歴を更新し、前記表示項目履歴に基づいて、前記オペレータによる表示項目の切替操作の熟練度を評価することを特徴とする請求項１記載の表示制御装置。
【請求項３】
前記熟練度評価手段は、前記表示項目履歴が示す表示項目の更新順に基づいて、前記切替操作受付手段により受け付けられた切替操作が減点対象の操作に該当するか否かを判定し、当該切替操作が減点対象の操作に該当すれば、前記オペレータによる表示項目の切替操作の熟練度の評価を下げる処理を実施し、
前記無操作時間更新手段は、前記熟練度評価手段により熟練度の評価が下げられると、前記無操作時間が長くなるように更新することを特徴とする請求項２記載の表示制御装置。
【請求項４】
前記熟練度評価手段は、前記表示項目履歴が示す表示項目の更新順に基づいて、前記切替操作受付手段により受け付けられた切替操作が加点対象の操作に該当するか否かを判定し、当該切替操作が加点対象の操作に該当すれば、前記オペレータによる表示項目の切替操作の熟練度の評価を上げる処理を実施し、
前記無操作時間更新手段は、前記熟練度評価手段により熟練度の評価が上げられると、前記無操作時間が短くなるように更新することを特徴とする請求項２記載の表示制御装置。
【請求項５】
オペレータによるキーの押下時間が予め設定されている長押し時間より長い場合、予め規定されている処理の実行を指示するキーの長押し操作を受け付ける長押し操作受付手段と、
前記熟練度評価手段により評価された熟練度が上がれば、前記長押し時間が短くなるように更新し、前記熟練度が下がれば、前記長押し時間が長くなるように更新する長押し時間更新手段とを備えたことを特徴とする請求項１記載の表示制御装置。
【請求項６】
前記表示器に表示されている表示項目に対応するデータの値を連続的に上げる操作又は前記データの値を連続的に下げる操作として、オペレータによるキーの長押し操作を受け付ける連続変更操作受付手段と、
前記連続変更操作受付手段により受け付けられた長押し操作が行われている期間中、予め設定された変更周期で前記データの値を上げる処理又は前記変更周期で前記データの値を下げる処理を実施するデータ値変更手段と、
前記熟練度評価手段により評価された熟練度が上がれば、前記変更周期が短くなるように更新し、前記熟練度が下がれば、前記変更周期が長くなるように更新する変更周期更新手段とを備えたことを特徴とする請求項１記載の表示制御装置。
【請求項７】
前記切替操作受付手段は、前記熟練度評価手段により評価された熟練度が予め設定された閾値より高ければ、前記表示器に対して、前記複数の表示項目と異なる階層構造を持つ複数の表示項目を表示するための表示項目変更操作を受け付けることを特徴とする請求項１記載の表示制御装置。
【請求項８】
前記熟練度評価手段により評価された熟練度が予め設定された閾値より高い場合に限り、前記表示器に表示されている表示項目に対応するデータの変更操作を受け付けるデータ変更操作受付手段を備えたことを特徴とする請求項１記載の表示制御装置。
【請求項９】
前記切替操作受付手段は、前記熟練度評価手段により評価された熟練度が予め設定された閾値以下になると、以降、オペレータによる表示項目の切替操作の受け付けを停止することを特徴とする請求項１記載の表示制御装置。
【請求項１０】
前記熟練度評価手段は、予め設定された時間連続して、前記切替操作受付手段により切替操作が受け付けられない場合、前記熟練度の評価結果を初期値に戻すことを特徴とする請求項１記載の表示制御装置。
【請求項１１】
初期表示手段が、表示器に対する複数の表示項目のうち、予め設定されている初期表示対象の表示項目に対応するデータを前記表示器に表示する初期表示処理ステップと、
切替操作受付手段が、オペレータによる表示項目の切替操作を受け付ける切替操作受付処理ステップと、
表示切替手段が、前記切替操作受付処理ステップで受け付けられた切替操作と前記複数の表示項目の階層構造にしたがって表示対象の表示項目を更新し、前記表示器の表示内容を更新後の表示対象の表示項目に対応するデータに切り替える表示切替処理ステップと、
表示リセット手段が、前記表示切替処理ステップで前記表示器の表示内容が切り替えられてから、予め設定された無操作時間に到達するまでの間に、前記切替操作受付処理ステップで新たな切替操作が受け付けられない場合、前記表示器の表示内容を前記初期表示対象の表示項目に対応するデータに戻す表示リセット処理ステップと、
熟練度評価手段が、前記オペレータによる表示項目の切替操作の熟練度を評価する熟練度評価処理ステップと、
無操作時間更新手段が、前記熟練度評価処理ステップでの熟練度の評価結果にしたがって前記無操作時間を更新する無操作時間更新処理ステップと
を備えた表示制御方法。
【発明の詳細な説明】
【技術分野】
【０００１】
この発明は、表示器に表示するデータの表示項目を制御する表示制御装置及び表示制御方法に関するものである。
【背景技術】
【０００２】
例えば、半導体製造装置や射出成形機などの制御対象を制御するデジタル制御器（表示制御装置）は、一般的に制御対象の制御盤に実装される。
多くのデジタル制御器は、デジタル表示器（例えば、７セグメントＬＥＤ、液晶表示器など）と操作キー（例えば、上下・左右の矢印キーなど）を備えている。
デジタル表示器に表示される表示項目は、制御対象毎に異なるが、通常、数多くの項目があり、オペレータが任意の表示項目を選択すると、その表示項目に対応するデータ（測定値あるいは設定値）がデジタル表示器に表示される。【０００３】
一般的に、複数の表示項目は階層化されており、操作キーの操作によって切り替わる表示項目の順番が階層構造で決まっている。複数の表示項目のうち、或る表示項目が選択されて、その表示項目に対応するデータがデジタル表示器に表示されているとき、オペレータが表示対象の表示項目を切り替えることを希望する場合、デジタル制御器の操作キーを操作することで、表示対象の表示項目を切り替える必要がある。
したがって、オペレータが複数の表示項目の階層構造を熟知していれば、現在表示されている表示項目と所望の表示項目（新たな表示を希望する表示項目）との関係（階層構造上の位置関係）が分かるため、少ないキー操作の回数で所望の表示項目を短時間で選択することができる。
一方、オペレータが複数の表示項目の階層構造を熟知していない場合、キー操作を行う毎に、現在選択中の表示項目を確認する必要があり、また、オペレータの操作が所望の表示項目に近づいている操作であるとは限らず、むしろ所望の表示項目から遠ざかっている操作であることもあるため、所望の表示項目の選択が完了するまでに多くのキー操作と時間を要する。【０００４】
また、デジタル制御器には、所望の表示項目を選択するキー操作の途中であっても、最後のキー操作から一定時間（以下、「無操作時間」と称する）以上、オペレータがキー操作を行わなければ、デジタル表示器の表示内容が、予め設定されている初期表示対象の表示項目に対応するデータに切り替わる表示リセット機能が搭載されている。
この無操作時間は予め設定されるものであるが、オペレータが操作方法を熟知していない場合、この無操作時間が短いと、所望の操作が完了するまでに初期表示対象の表示項目に戻ってしまう可能性が高いため、この無操作時間は長い方が好ましい。
一方、オペレータが操作方法を熟知している場合、所望の操作を短時間で完了することができるため、この無操作時間は短い方が、操作性が向上する。【０００５】
以下の特許文献１には、デジタル制御器に設定されている無操作時間を更新するものではないが、商品の販売登録を行う際、作業員のキー操作の熟練度を判定し、作業員の熟練度が低ければ、ヘルプ画面を表示する習熟度応答装置が開示されている。
【先行技術文献】
【特許文献】
【０００６】
【特許文献１】特開平１１−３５３０７６号公報（例えば、段落［００１６］から［００１７］）
【発明の概要】
【発明が解決しようとする課題】
【０００７】
従来の表示制御装置は以上のように構成されているので、複数の表示項目の階層構造や操作方法を熟知しているオペレータと、複数の表示項目の階層構造や操作方法を熟知していないオペレータとが混在している場合、熟知していないオペレータに合わせて無操作時間を長い時間に設定すると、熟知しているオペレータが操作する際の操作性が低下する。一方、熟知しているオペレータに合わせて無操作時間を短い時間に設定すると、熟知していないオペレータの操作時には、所望の表示項目を選択する前に初期表示対象の表示項目に戻ってしまって操作性が著しく低下してしまうことがあるという課題があった。【０００８】
この発明は上記のような課題を解決するためになされたもので、どのオペレータが操作する場合でも、高い操作性を実現することができる表示制御装置及び表示制御方法を得ることを目的とする。
【課題を解決するための手段】
【０００９】
この発明に係る表示制御装置は、表示器に対する複数の表示項目の階層構造を記憶している階層構造記憶手段と、複数の表示項目のうち、予め設定されている初期表示対象の表示項目に対応するデータを表示器に表示する初期表示手段と、オペレータによる表示項目の切替操作を受け付ける切替操作受付手段と、切替操作受付手段により受け付けられた切替操作と階層構造記憶手段により記憶されている階層構造にしたがって表示対象の表示項目を更新し、表示器の表示内容を更新後の表示対象の表示項目に対応するデータに切り替える表示切替手段と、表示切替手段により表示器の表示内容が切り替えられてから、予め設定された無操作時間に到達するまでの間に、切替操作受付手段により新たな切替操作が受け付けられない場合、表示器の表示内容を初期表示対象の表示項目に対応するデータに戻す表示リセット手段と、オペレータによる表示項目の切替操作の熟練度を評価する熟練度評価手段とを設け、無操作時間更新手段が、熟練度評価手段による熟練度の評価結果にしたがって前記無操作時間を更新するようにしたものである。【００１０】
この発明に係る表示制御装置は、熟練度評価手段が、切替操作受付手段により切替操作が受け付けられる毎に、表示切替手段により更新された表示対象の表示項目を示す表示項目履歴を更新し、その表示項目履歴に基づいて、オペレータによる表示項目の切替操作の熟練度を評価するようにしても良い。【００１１】
この発明に係る表示制御装置は、熟練度評価手段が、表示項目履歴が示す表示項目の更新順に基づいて、切替操作受付手段により受け付けられた切替操作が減点対象の操作に該当するか否かを判定し、当該切替操作が減点対象の操作に該当すれば、オペレータによる表示項目の切替操作の熟練度の評価を下げる処理を実施し、無操作時間更新手段が、熟練度評価手段により熟練度の評価が下げられると、無操作時間が長くなるように更新しても良い。【００１２】
この発明に係る表示制御装置は、熟練度評価手段が、表示項目履歴が示す表示項目の更新順に基づいて、切替操作受付手段により受け付けられた切替操作が加点対象の操作に該当するか否かを判定し、当該切替操作が加点対象の操作に該当すれば、オペレータによる表示項目の切替操作の熟練度の評価を上げる処理を実施し、無操作時間更新手段が、熟練度評価手段により熟練度の評価が上げられると、無操作時間が短くなるように更新しても良い。【００１３】
この発明に係る表示制御装置は、オペレータによるキーの押下時間が予め設定されている長押し時間より長い場合、予め規定されている処理の実行を指示するキーの長押し操作を受け付ける長押し操作受付手段と、熟練度評価手段により評価された熟練度が上がれば、その長押し時間が短くなるように更新し、その熟練度が下がれば、その長押し時間が長くなるように更新する長押し時間更新手段とを備えるようにしても良い。【００１４】
この発明に係る表示制御装置は、表示器に表示されている表示項目に対応するデータの値を連続的に上げる操作又は前記データの値を連続的に下げる操作として、オペレータによるキーの長押し操作を受け付ける連続変更操作受付手段と、連続変更操作受付手段により受け付けられた長押し操作が行われている期間中、予め設定された変更周期で前記データの値を上げる処理又は前記変更周期で前記データの値を下げる処理を実施するデータ値変更手段と、熟練度評価手段により評価された熟練度が上がれば、その変更周期が短くなるように更新し、その熟練度が下がれば、その変更周期が長くなるように更新する変更周期更新手段とを備えるようにしても良い。【００１５】
この発明に係る表示制御装置は、切替操作受付手段が、熟練度評価手段により評価された熟練度が予め設定された閾値より高ければ、表示器に対して、複数の表示項目と異なる階層構造を持つ複数の表示項目を表示するための表示項目変更操作を受け付けるようにしても良い。【００１６】
この発明に係る表示制御装置は、熟練度評価手段により評価された熟練度が予め設定された閾値より高い場合に限り、表示器に表示されている表示項目に対応するデータの変更操作を受け付けるデータ変更操作受付手段を備えるようにしても良い。【００１７】
この発明に係る表示制御装置は、切替操作受付手段が、熟練度評価手段により評価された熟練度が予め設定された閾値以下になると、以降、オペレータによる表示項目の切替操作の受け付けを停止するようにしても良い。【００１８】
この発明に係る表示制御装置は、熟練度評価手段が、予め設定された時間連続して、切替操作受付手段により切替操作が受け付けられない場合、熟練度の評価結果を初期値に戻すようにしても良い。【００１９】
この発明に係る表示制御方法は、初期表示手段が、表示器に対する複数の表示項目のうち、予め設定されている初期表示対象の表示項目に対応するデータを表示器に表示する初期表示処理ステップと、切替操作受付手段が、オペレータによる表示項目の切替操作を受け付ける切替操作受付処理ステップと、表示切替手段が、切替操作受付処理ステップで受け付けられた切替操作と複数の表示項目の階層構造にしたがって表示対象の表示項目を更新し、表示器の表示内容を更新後の表示対象の表示項目に対応するデータに切り替える表示切替処理ステップと、表示リセット手段が、表示切替処理ステップで表示器の表示内容が切り替えられてから、予め設定された無操作時間に到達するまでの間に、切替操作受付処理ステップで新たな切替操作が受け付けられない場合、表示器の表示内容を初期表示対象の表示項目に対応するデータに戻す表示リセット処理ステップと、熟練度評価手段が、オペレータによる表示項目の切替操作の熟練度を評価する熟練度評価処理ステップと、無操作時間更新手段が、熟練度評価処理ステップでの熟練度の評価結果にしたがって前記無操作時間を更新する無操作時間更新処理ステップとを備えるようにしたものである。
【発明の効果】
【００２０】
この発明によれば、オペレータの操作に応じて無操作時間が更新されるようになるため、どのオペレータが操作する場合でも、高い操作性を実現することができる効果がある。
【図面の簡単な説明】
【００２１】
【図１】この発明の実施の形態１による表示制御装置を示す構成図である。
【図２】表示器の構成例を示す説明図である。
【図３】階層化されている複数の表示項目を示す説明図である。
【図４】この発明の実施の形態１による表示制御装置の処理内容（表示制御方法）を示すフローチャートである。
【図５】２つの表示器１０が実装されている場合の表示制御装置の基本的な動作を示すモード遷移図である。
【図６】１つの表示器１０が表示項目用の表示器とデータ用の表示器を兼ねている場合の表示制御装置の基本的な動作を示すモード遷移図である。
【図７】上または下に切替操作した直後に逆方向に切替操作をして熟練度が減点される切替操作を示す説明図である。なお、太い矢印は減点対象となる操作である。
【図８】上または下に切替操作を連独して行い、縦方向に一周して熟練度が減点される切替操作を示す説明図である。なお、太い矢印は減点対象となる操作である。
【図９】横方向の切替操作を連続して行い、横方向に一周して熟練度が減点される切替操作を示す説明図である。なお、太い矢印は減点対象となる操作である。
【図１０】設定変更することなしに無操作タイマのタイムアップが発生して、初期表示対象の表示項目に表示が戻ったのち、直ぐに（初期表示対象の表示項目を表示中に無操作タイマがタイムアップする前に）切替操作を行い、熟練度が減点される切替操作を示す説明図である。なお、太い矢印は減点対象となる操作である。
【図１１】最小回数の切替操作を行い、熟練度が加点される切替操作を示す説明図である。
【発明を実施するための形態】
【００２２】
実施の形態１．
図１はこの発明の実施の形態１による表示制御装置を示す構成図である。
図２は表示器の構成例を示す説明図であり、特に図２（ａ）は選択中の表示項目を表示する項目名用の表示器と、当該表示項目に対応する項目別データ（測定値あるいは設定値）を表示するデータ用の表示器とが実装されている例を示している。図２（ｂ）は１つの表示器が項目名用の表示器とデータ用の表示器を兼ねている例を示している。
図３は階層化されている複数の表示項目を示す説明図である。例えば、ＰＶ、ＳＶ、ｄやＡＴなどは表示項目であり、特にＰＶは初期表示対象の表示項目である。図３の例では、１８個の表示項目を表している。
【００２３】
図１から図３において、ダウンキー１はオペレータが表示項目を切り替える際に操作するキーであり、例えば、オペレータがダウンキー１を押下すると、現在選択中の表示項目より１つ下の行の左端の列の表示項目に変更する操作（現在選択中の表示項目が、一番下の行の列の表示項目であれば、一番上の行における左端の列の表示項目に変更する操作）が受け付けられる。
図３の場合、例えば、現在選択中の表示項目がＳＶであるとき、オペレータがダウンキー１を押下すると、表示項目をＰに変更する操作が受け付けられる。また、現在選択中の表示項目がＦｎであるとき、オペレータがダウンキー１を押下すると、表示項目をＡ−Ｍに変更する操作が受け付けられる。
ここでは、現在選択中の表示項目が、一番下の行の列の表示項目であれば、一番上の行における左端の列の表示項目に変更する操作が受け付けられるローリングタイプの例を示したが、ローリングを行わないタイプの場合、例えば、現在選択中の表示項目がＦｎであるとき、オペレータがダウンキー１を押下しても表示項目を切り替える操作は受け付けられない。このため、例えば、表示項目をＡ−Ｍに変更するには、後述するアップキー２を６回押下する必要がある。
【００２４】
アップキー２はオペレータが表示項目を切り替える際に操作するキーであり、例えば、オペレータがアップキー２を押下すると、現在選択中の表示項目より１つ上の行の左端の列の表示項目に変更する操作（現在選択中の表示項目が、一番上の行の列の表示項目であれば、一番下の行における左端の列の表示項目に変更する操作）が受け付けられる。
図３の場合、例えば、現在選択中の表示項目がＳＶであるとき、オペレータがアップキー２を押下すると、表示項目をｒ−Ｓに変更する操作が受け付けられる。また、現在選択中の表示項目がＡ−Ｍであるとき、オペレータがアップキー２を押下すると、表示項目をＦｎに変更する操作が受け付けられる。
ここでは、現在選択中の表示項目が、一番上の行の列の表示項目であれば、一番下の行における左端の列の表示項目に変更する操作が受け付けられるローリングタイプの例を示したが、ローリングを行わないタイプの場合、例えば、現在選択中の表示項目がＡ−Ｍであるとき、オペレータがアップキー２を押下しても表示項目を切り替える操作は受け付けられない。このため、例えば、表示項目をＦｎに変更するには、ダウンキー１を６回押下する必要がある。
【００２５】
シフトキー３はオペレータが表示項目を切り替える際に操作するキーであり、例えば、オペレータがシフトキー３を押下すると、現在選択中の表示項目より１つ右の列の表示項目に変更する操作（現在選択中の表示項目が、右端の列の表示項目であれば、左端の列の表示項目に変更する操作）が受け付けられる。
図３の場合、例えば、現在選択中の表示項目がＳＶであるとき、オペレータがシフトキー３を押下すると、表示項目をＭＶに変更する操作が受け付けられる。また、現在選択中の表示項目がＭＶであるとき、オペレータがシフトキー３を押下すると、表示項目をＰＶに変更する操作が受け付けられる。
【００２６】
表示器１０は例えば図２（ａ）又は図２（ｂ）の表示器である。
階層構造記憶部１１は例えばＲＡＭやＲＯＭなどの記憶装置から構成されており、複数の表示項目の項目名（名称）や、複数の表示項目の階層構造（例えば、図３の階層構造）を記憶している。なお、階層構造記憶部１１は階層構造記憶手段を構成している。
項目別データ記憶部１２は例えばＲＡＭなどの記憶装置から構成されており、各々の表示項目に対応する項目別データ（測定値あるいは設定値）を記憶している。なお、項目別データが測定値である場合、図示せぬセンサ等によって測定された値に逐次更新される。
【００２７】
表示処理部１３はオペレーション制御部１５の指示の下、表示対象の表示項目の項目名や、表示対象の表示項目に対応する項目別データを表示器１０に表示する処理を実施する。
キー操作受付処理部１４はオペレータによる表示項目の切替操作として、ダウンキー１、アップキー２又はシフトキー３の押下に伴う表示項目の切替操作を受け付ける処理を実施する。なお、ダウンキー１、アップキー２、シフトキー３及びキー操作受付処理部１４は切替操作受付手段を構成している。
【００２８】
オペレーション制御部１５は図１の表示制御装置の各処理部の動作を制御するほか、項目別データ記憶部１２から予め設定されている初期表示対象の表示項目（図３の例では、ＰＶ）に対応する項目別データを読み出して、その項目別データを表示器１０に表示する指示を表示処理部１３に出力する処理を実施する。
また、オペレーション制御部１５はキー操作受付処理部１４により受け付けられた切替操作と階層構造記憶部１１により記憶されている階層構造にしたがって表示対象の表示項目を更新して、項目別データ記憶部１２から更新後の表示対象の表示項目に対応する項目別データを読み出し、表示器１０の表示内容を更新後の表示対象の表示項目に対応するデータに切り替える指示を表示処理部１３に出力する処理を実施する。
【００２９】
さらに、オペレーション制御部１５はキー操作受付処理部１４が新たな切替操作を受け付けると、無操作タイマ１９のカウント時間を０リセット（カウント時間を０に初期化）する一方、無操作タイマ１９のカウント時間が無操作時間更新部１８により設定された無操作時間に到達してタイムアップすると、表示器１０の表示内容を初期表示対象の表示項目（図３の例では、ＰＶ）に対応する項目別データに戻す指示を表示処理部１３に出力する処理を実施する。
なお、表示処理部１３及びオペレーション制御部１５は、初期表示手段と表示切替手段を構成している。
また、表示処理部１３、オペレーション制御部１５及び無操作タイマ１９は表示リセット手段を構成している。
【００３０】
表示項目履歴更新部１６はキー操作受付処理部１４により切替操作が受け付けられる毎に、オペレーション制御部１５により更新された表示対象の表示項目を示す表示項目履歴を更新する処理を実施する。
熟練度評価部１７は表示項目履歴更新部１６により更新された表示項目履歴に基づいてオペレータによる切替操作の熟練度を評価する処理を実施する。
即ち、熟練度評価部１７は表示項目履歴更新部１６により更新された表示項目履歴が示す表示項目の更新順に基づいて、キー操作受付処理部１４により受け付けられた切替操作が減点操作（減点対象の操作）又は加点操作（加点対象の操作）に該当するか否かを判定し、当該切替操作が減点操作に該当すれば、オペレータによる切替操作の熟練度の評価を下げる一方、当該切替操作が加点操作に該当すれば、オペレータによる切替操作の評価を上げる処理を実施する。
ここで、減点操作は熟練度が低いと考えられるオペレータの操作であり、加点操作は熟練度が高いと考えられるオペレータの操作である。
なお、表示項目履歴更新部１６及び熟練度評価部１７は熟練度評価手段を構成している。
無操作時間更新部１８は熟練度評価部１７により評価された熟練度にしたがって無操作時間を更新し、更新後の無操作時間を無操作タイマ１９に設定する処理を実施する。なお、無操作時間更新部１８は無操作時間更新手段を構成している。
【００３１】
無操作タイマ１９はカウント時間が無操作時間更新部１８により設定された無操作時間に到達する前に、オペレーション制御部１５によって０リセットされなければ、カウント時間が一定時間毎に加算（カウントアップ）され、無操作時間に到達した時点でタイムアップ（上限値に到達）する。
即ち、無操作タイマ１９はオペレーション制御部１５によって表示器１０の表示内容が切り替えられてから、無操作時間更新部１８により設定された無操作時間に到達するまでの間に、キー操作受付処理部１４により新たな切替操作が受け付けられない場合、タイムアップするタイマである。
【００３２】
図１の表示制御装置の構成要素である階層構造記憶部１１、項目別データ記憶部１２、表示処理部１３、キー操作受付処理部１４、オペレーション制御部１５、表示項目履歴更新部１６、熟練度評価部１７、無操作時間更新部１８及び無操作タイマ１９のそれぞれが専用のハードウェア（例えば、ＣＰＵを実装している半導体集積回路、あるいは、ワンチップマイコンなどから構成されている）で構成されているものを想定しているが、表示制御装置がコンピュータで構成されていてもよい。
表示制御装置をコンピュータで構成する場合、階層構造記憶部１１及び項目別データ記憶部１２をコンピュータの内部メモリ又は外部メモリ上に構成するとともに、表示処理部１３、キー操作受付処理部１４、オペレーション制御部１５、表示項目履歴更新部１６、熟練度評価部１７、無操作時間更新部１８及び無操作タイマ１９の処理内容を記述しているプログラムをコンピュータのメモリに記憶し、当該コンピュータのＣＰＵが当該メモリに格納されているプログラムを実行するようにすればよい。
図４はこの発明の実施の形態１による表示制御装置の処理内容（表示制御方法）を示すフローチャートである。
【００３３】
次に動作について説明する。
本願発明は、どのオペレータが操作する場合でも、高い操作性を実現することができるようにするために、オペレータによる切替操作の熟練度を評価し、その熟練度の評価結果にしたがって無操作タイマ１９に設定する無操作時間を更新することを特徴としている。
無操作タイマ１９に設定する無操作時間を更新する処理を具体的に説明する前に、表示制御装置の基本的な動作を簡単に説明する。
【００３４】
（１）表示器１０が２つの表示器（表示項目用の表示器とデータ用の表示器）を実装している場合（図２（ａ）の場合）の表示制御装置の基本的な動作
図５は２つの表示器が実装されている場合の表示制御装置の基本的な動作を示すモード遷移図である。
２つの表示器１０が実装されている場合、通常モードと設定モードがあり、電源投入時は通常モードになって、初期表示対象の表示項目の項目名（名称）を項目名用の表示器に表示するとともに、その表示項目に対応する項目別データをデータ用の表示器に表示する。
通常モードのときに、オペレータがシフトキー３を押下すると、表示対象の表示項目が現在選択中の表示項目より１つ右の列の表示項目に切り替えられる（現在選択中の表示項目が、右端の列の表示項目であれば、左端の列の表示項目に切り替えられる）。
また、通常モードのときに、オペレータがダウンキー１を押下すると、表示対象の表示項目が現在選択中の表示項目より１つ下の行の左端の列の表示項目に切り替えられ、オペレータがアップキー２を押下すると、表示対象の表示項目が現在選択中の表示項目より１つ上の行の左端の列の表示項目に切り替えられる。
【００３５】
設定変更可能な表示項目であれば、通常モードのときにオペレータがシフトキー３を長押しすると、動作モードが通常モードから設定モードに切り替わる。
設定モードのとき、オペレータがダウンキー１を押下すると、現在選択中の表示項目に対応する表示中の項目別データ（設定値）を下げる変更が行われる。
また、オペレータがアップキー２を押下すると、現在選択中の表示項目に対応する表示中の項目別データ（設定値）を上げる変更が行われる。
設定モードのとき、オペレータがシフトキー３を押下すると、表示中の項目別データの変更対象桁位が変更される。
【００３６】
設定モードのとき、オペレータがシフトキー３を長押しすると、ダウンキー１又はアップキー２による項目別データの変更が確定し、動作モードが設定モードから通常モードに切り替わる。
現在選択中の表示項目を切り替える操作や項目別データを変更する操作が行われても、それらの操作が行われてから、無操作時間更新部１８により設定された無操作時間に到達するまでの間に、次の操作が行われなければ、項目名用の表示器の表示内容が初期表示対象の項目名に戻るとともに、データ用の表示器の表示内容が初期表示対象の表示項目に対応する項目別データに戻る。
【００３７】
（２）１つの表示器１０が項目名用の表示器とデータ用の表示器を兼ねている場合（図２（ｂ）の場合）の表示制御装置の基本的な動作
図６は１つの表示器１０が項目名用の表示器とデータ用の表示器を兼ねている場合の表示制御装置の基本的な動作を示すモード遷移図である。
１つの表示器１０が項目名用の表示器とデータ用の表示器を兼ねている場合、項目名モード、データモード及び設定モードがあり、電源投入時は項目名モードになり、初期表示対象の表示項目の項目名を表示器１０に表示する。その後、予め設定された時間である項目名表示時間（詳細は実施の形態２で説明するが、項目名表示時間は無操作時間に相当する）に到達すると、動作モードが自動的にデータモードになり、初期表示対象の表示項目に対応する項目別データを表示器１０に表示する。
【００３８】
表示器１０に表示されている項目別データが、初期表示対象の表示項目に対応する項目別データであれば、予め設定された時間であるデータ表示時間（詳細は実施の形態２で説明するが、データ表示時間は無操作時間に相当する）に到達しても、その項目別データの表示が継続されるが、初期表示対象以外の表示項目に対応する項目別データであれば、データ表示時間に到達すると、動作モードが自動的に項目名モードになり、初期表示対象の表示項目の項目名を表示器１０に表示する。
また、オペレータが任意のキーを押下しても、動作モードが項目名モードになり、現在表示中の表示項目の項目名を表示器１０に表示する。
【００３９】
項目名モードのときに、オペレータがシフトキー３を押下すると、表示対象の表示項目が現在選択中の表示項目より１つ右の列の表示項目に切り替えられ（現在選択中の表示項目が、右端の列の表示項目であれば、左端の列の表示項目に切り替えられる）、切替後の表示項目の項目名を表示器１０に表示する。
また、項目名モードのときに、オペレータがダウンキー１を押下すると、表示対象の表示項目が現在選択中の表示項目より１つ下の行の左端の列の表示項目に切り替えられ、オペレータがアップキー２を押下すると、表示対象の表示項目が現在選択中の表示項目より１つ上の行の左端の列の表示項目に切り替えられ、切替後の表示項目の項目名を表示器１０に表示する。
その後、予め設定された時間である項目名表示時間に到達すると、動作モードが自動的にデータモードになり、切替後の表示項目に対応する項目別データを表示器１０に表示する。
【００４０】
設定変更可能な表示項目であれば、データモードのときにオペレータがシフトキー３を長押しすると、動作モードがデータモードから設定モードに切り替わる。
設定モードのとき、オペレータがダウンキー１を押下すると、現在選択中の表示項目に対応する表示中の項目別データ（設定値）を下げる変更が行われる。
また、オペレータがアップキー２を押下すると、現在選択中の表示項目に対応する表示中の項目別データ（設定値）を上げる変更が行われる。
設定モードのとき、オペレータがシフトキー３を押下すると、表示中の項目別データの変更対象桁位が変更される。
【００４１】
設定モードのとき、オペレータがシフトキー３を長押しすると、ダウンキー１又はアップキー２による項目別データの変更が確定し、動作モードが設定モードからデータモードに切り替わる。
現在選択中の表示項目を切り替える操作や項目別データを変更する操作などが行われても、それらの操作が行われてから、無操作時間更新部１８により設定された無操作時間に到達するまでの間に、次の操作が行われなければ、動作モードが項目名モードに戻り、表示器１０の表示内容が初期表示対象の表示項目の項目名に戻る。
【００４２】
ここでは、図５と図６を参照しながら、表示制御装置の基本的な動作を説明したが、この動作はあくまでも一例であり、表示制御装置の基本的な動作は、他の動作であってもよいことは言うまでもない。
以下、本願発明の特徴的な処理内容（無操作タイマ１９に設定する無操作時間を更新する処理）を具体的に説明する。
ここでは、説明の簡単化のために、表示器１０が２つの表示器を実装しているものとして説明するが、特徴的な処理内容の本質的な部分は、１つの表示器１０が項目名用の表示器とデータ用の表示器を兼ねている場合であっても同様である。
【００４３】
階層構造記憶部１１には、図３に示すような複数の表示項目の階層構造が記憶されている。
ここでは、説明の便宜上、初期表示対象の表示項目として、ＰＶが設定されているものとする。
オペレーション制御部１５は、電源が投入されると、動作モードが通常モードになり、初期表示対象の表示項目であるＰＶの項目名を表示器１０に表示する指示を表示処理部１３に出力する。
また、オペレーション制御部１５は、項目別データ記憶部１２から初期表示対象の表示項目であるＰＶに対応する項目別データを読み出して、その項目別データを表示器１０に表示する指示を表示処理部１３に出力する。
これにより、表示処理部１３は、図２（ａ）に示すように、初期表示対象の表示項目であるＰＶの項目名を上側の表示器に表示するとともに、ＰＶに対応する項目別データ（図２（ａ）の例では、「２８．７」という数値）を下側の表示器に表示する（図４のステップＳＴ１）。
【００４４】
初期表示対象の表示項目であるＰＶの項目名や、ＰＶに対応する項目別データが表示されているとき、オペレータが表示対象の表示項目を切り替えることを希望する場合、ダウンキー１、アップキー２又はシフトキー３を押下する操作を行う。
例えば、所望の表示項目がｄＦである場合、図３の階層構造であれば、ダウンキー１を２回押下してから、シフトキー３を２回押下する操作を行えば、無駄な切替操作無く、表示対象の表示項目をＰＶから所望の表示項目であるｄＦに切り替えることができる。
しかし、オペレータが複数の表示項目の階層構造を熟知していない場合、無駄な切替操作無く、所望の表示項目に切り替えることができるとは限らない。
【００４５】
図７から図９は無駄な切替操作無く、所望の表示項目に切り替えることができていない場合の熟練度が減点される切替操作を示す説明図である。
図７の例では、オペレータが、所望の表示項目であるｄＦの行が、初期表示対象の表示項目であるＰＶの行より２行下であることが分からないために、ダウンキー１を３回押下してしまっており、その後、逆方向のアップキー２を１回押下している。この時点で無駄な切替操作と判断できるので減点となる。
【００４６】
図８の例では、オペレータが、所望の表示項目であるｄＦの行が、初期表示対象の表示項目であるＰＶの行より２行下であることが分からないために、連続してダウンキー１を押下して左端の列を１周してしまっており、例えば、所望の表示項目であるｄＦを選択する際に、ｄＦの行の左端であるＰｂを表示したところでシフトキー３を押下しなければならないことを認識できていない状態である。このように左端の列を縦方向に１周した時点で無駄な切替操作と判断できるので減点となる。
図９の例では、オペレータが、ダウンキー１を２回押下してから、シフトキー３を２回押下した時点で、所望の表示項目であるｄＦに切り替わっていることを見過ごしてしまって、更にシフトキー３を押下してＰｂに戻り、横方向に１周してしまっている。この時点で無駄な切替操作と判断できるので減点となる。
【００４７】
キー操作受付処理部１４は、オペレータがダウンキー１、アップキー２又はシフトキー３を押下すると（ステップＳＴ２）、その押下に伴う表示項目の切替操作を受け付ける（ステップＳＴ３）。
オペレーション制御部１５は、キー操作受付処理部１４が表示項目の切替操作を受け付けると、その切替操作と階層構造記憶部１１により記憶されている階層構造にしたがって表示対象の表示項目を更新する（ステップＳＴ４）。
例えば、現在選択中の表示項目がＰＶであるとき、オペレータがダウンキー１を押下すれば、新たな表示対象の表示項目をＰに決定し、オペレータがアップキー２を押下すれば、新たな表示対象の表示項目をｒ−Ｓに決定し、オペレータがシフトキー３を押下すれば、新たな表示対象の表示項目をＳＶに決定する。
また、現在選択中の表示項目がＭＶであるとき、オペレータがダウンキー１を押下すれば、新たな表示対象の表示項目をＰに決定し、オペレータがアップキー２を押下すれば、新たな表示対象の表示項目をｒ−Ｓに決定し、オペレータがシフトキー３を押下すれば、新たな表示対象の表示項目をＰＶに決定する。
【００４８】
ここでは、現在選択中の表示項目がＭＶであるとき、オペレータがダウンキー１を押下すると、１つ下の行の左端の列にある表示項目であるＰを新たな表示対象の表示項目に決定する例を示しているが、キー操作受付処理部１４により受け付けられた切替操作と階層構造記憶部１１により記憶されている階層構造から、新たな表示対象の表示項目を一義的に決定することができればよく、例えば、１つ下の行にあるＭＶと同じ列のｄを新たな表示対象の表示項目に決定するようにしてもよい。
同様に、現在選択中の表示項目がＭＶであるとき、オペレータがアップキー２を押下すると、１つ上の行の左端の列にある表示項目であるｒ−Ｓを新たな表示対象の表示項目に決定する例を示しているが、１つ上の行の右端の列にあるＡＴを新たな表示対象の表示項目に決定するようにしてもよい。
【００４９】
オペレーション制御部１５は、表示対象の表示項目を更新すると、更新後の表示対象の表示項目の項目名を表示器１０に表示する指示を表示処理部１３に出力する。
また、オペレーション制御部１５は、項目別データ記憶部１２から更新後の表示対象の表示項目に対応する項目別データを読み出して、その項目別データを表示器１０に表示する指示を表示処理部１３に出力する。
これにより、表示処理部１３は、更新後の表示対象の表示項目の項目名を上側の表示器に表示するとともに、更新後の表示対象の表示項目に対応する項目別データを下側の表示器に表示する（ステップＳＴ５）。
【００５０】
オペレーション制御部１５は、更新後の表示対象の表示項目を表示する指示を表示処理部１３に出力すると、無操作タイマ１９のカウント時間を０リセットする（ステップＳＴ６）。
オペレーション制御部１５は、キー操作受付処理部１４が新たな切替操作を受け付ける毎に、更新後の表示対象の表示項目を表示する指示を表示処理部１３に出力して、無操作タイマ１９のカウント時間を０リセットするが、最後に無操作タイマ１９のカウント時間を０リセットしてから、キー操作受付処理部１４によって新たな切替操作が受け付けられないために、無操作タイマ１９のカウント時間が無操作時間更新部１８により設定された無操作時間に到達してしまうと、無操作タイマ１９がタイムアップする。
【００５１】
オペレーション制御部１５は、無操作タイマ１９がタイムアップすると（ステップＳＴ７）、上側の表示器の表示内容を初期表示対象の表示項目であるＰＶの項目名に戻す指示を表示処理部１３に出力する。
また、オペレーション制御部１５は、下側の表示器の表示内容を初期表示対象の表示項目であるＰＶに対応する項目別データに戻す指示を表示処理部１３に出力する。
これにより、表示処理部１３は、初期表示対象の表示項目であるＰＶの項目名を上側の表示器に表示するとともに、ＰＶに対応する項目別データを下側の表示器に表示する（ステップＳＴ１）。
図１０は、設定変更することなしに無操作タイマ１９のタイムアップが発生して、初期表示対象の表示項目に表示が戻ったのち、直ぐに（初期表示対象の表示項目を表示中に無操作タイマ１９がタイムアップする前に）切替操作を行い、熟練度が減点される切替操作を示す説明図である。
図１０の例では、たまたまＡＴの項目を表示しているが、切替操作中に目標としている表示項目に到達できず、戸惑った末にタイムアップが発生して、初期表示対象の表示項目に表示に戻った直後に再度切替操作を行い、目標としている表示項目に到達しようとしている状態を想定している。
【００５２】
表示項目履歴更新部１６は、キー操作受付処理部１４が切替操作を受け付ける毎に、オペレーション制御部１５により更新された表示対象の表示項目を示す表示項目履歴を更新する（ステップＳＴ８）。
例えば、表示項目の更新順序が図７の場合には、表示項目履歴は下記のように更新される。
ＰＶ→Ｐ→Ｐｂ→Ｔ→（Ｐｂ）  減点操作のため表示項目履歴をリセット
Ｐｂ→Ｐｒ→ｄＦ              改めて表示項目履歴更新
また、表示項目の更新順序が図９の場合には、表示項目履歴は下記のように更新される。
ＰＶ→Ｐ→Ｐｂ→Ｐｒ→ｄＦ→（Ｐｂ）  減点操作のため表示項目履歴をリセット
Ｐｂ→Ｐｒ→ｄＦ                      改めて表示項目履歴更新
熟練度が更新された場合、表示項目履歴をリセットし、現在表示中の表示項目を切替操作の開始点として更新する。
【００５３】
熟練度評価部１７は、表示項目履歴更新部１６により更新された表示項目履歴が示す表示項目の更新順序や設定値の更新に基づいてオペレータによる切替操作の熟練度の評価値Ｖを算出する（ステップＳＴ９）。
以下、熟練度評価部１７による評価値Ｖの算出処理を具体的に説明する。
【００５４】
熟練度評価部１７は、表示項目履歴更新部１６により更新された表示項目替履歴が示す表示項目の更新順序を参照して、オペレータによる今回の切替操作が減点操作に該当するか否かを判定し、今回の切替操作が減点操作に該当すれば、下記の式（１）に示すように、現時点の熟練度の評価値Ｖから予め設定されている減点数Ｐｄ（例えば、“１”）を減算することで、熟練度の評価値Ｖを更新する。熟練度の評価値Ｖの初期値は予め設定されているものとする。
Ｖ＝Ｖ−Ｐｄ                                          （１）
式（１）の計算結果であるＶがマイナスの値になる場合、Ｖ＝０とする。
【００５５】
減点操作に該当するオペレータの切替操作としては、例えば、下記の（１）〜（６）に示すような切替操作が考えられる。ただし、（１）〜（６）に示す切替操作は、あくまでも一例であり、他の切替操作も減点操作に該当する場合がある。
また、これらの減点操作あるいは後述の加点操作に対する減点数／加点数の数値は、装置毎の表示項目の構造の違いや操作方法の違いによってそれぞれ適宜調整して良い。
（１）オペレータがダウンキー１を押下したのち、アップキー２を押下した場合、表示対象の表示項目が元に戻る無駄な操作であるため、減点操作に該当する（図７を参照）。
オペレータがアップキー２を押下したのち、ダウンキー１を押下した場合も同様に、減点操作に該当する。
（２）オペレータが連続してダウンキー１（またはアップキー２）を押下して、表示対象の表示項目が元に戻った場合（縦方向に１周した場合）、無駄な操作であるため、減点操作に該当する（図８を参照）。
（３）オペレータが連続してシフトキー３を押下して、表示対象の表示項目が元に戻った場合（横方向に１周した場合）、無駄な操作であるため、減点操作に該当する（図９を参照）。
（４）オペレータがシフトキー３を押下して横方向に移動したのち、ダウンキー１又はアップキー２を押下すると、表示対象の表示項目が左端の列の表示項目に戻ってしまうため、減点操作に該当する（表示対象の表示項目が左端の列の表示項目に戻っても、無駄な操作であるとは限らないが、無駄な操作である可能性が高いため、減点操作に該当する）。
【００５６】
（５）設定変更することなしに無操作タイマ１９のタイムアップが発生して、初期表示対象の表示項目に表示が戻った場合、その後、直ぐに（初期表示対象の表示項目を表示中に無操作タイマ１９がタイムアップする前に）オペレータが切替操作を行うと、減点操作に該当する。
図１０の例では、タイムアップでＰＶに戻ったのち、ＰＶからＰに移動する際のダウンキー１の押下が減点操作に該当する。その後、オペレータが切替操作を継続して、目標の表示項目であるｄＦに到達しているので、目標の表示項目で設定変更が行われると、後述するように加点される。
（６）ダウンキー１及びアップキー２がローリングを行わないタイプである場合において、表示項目の切替操作が受け付けられない場合、減点操作が行われたものとする（例えば、現在選択中の表示項目がＦｎであるとき、オペレータがダウンキー１を押下した場合や、現在選択中の表示項目がＡ−Ｍであるとき、オペレータがアップキー２を押下した場合などが該当する）。
【００５７】
また、熟練度評価部１７は、表示項目履歴更新部１６により更新された表示項目履歴が示す表示項目の更新順序を参照して、オペレータによる今回の切替操作が加点操作に該当するか否かを判定し、今回の切替操作が加点操作に該当すれば、下記の式（２）に示すように、現時点の熟練度の評価値Ｖから予め設定されている加点数Ｐｕ（例えば、“１”）を加算することで、熟練度の評価値Ｖを更新する。
Ｖ＝Ｖ＋Ｐｕ                                            （２）
式（２）の計算結果であるＶが最大熟練度の評価値Ｖｍａｘより大きくなる場合、Ｖ＝Ｖｍａｘとする。
【００５８】
加点操作に該当するオペレータの切替操作としては、例えば、下記の（１）〜（４）に示すような切替操作が考えられる。ただし、（１）〜（４）に示す切替操作は、あくまでも一例であり、他の切替操作も加点操作に該当する場合がある。
（１）設定変更が完了したら加点操作に該当する。
（２）設定変更が完了した時、表示項目の切替操作が開始されてから設定変更が行われた表示項目に至るまでに、予め設定された回数以上に切替操作が行われた場合、加点操作に該当する（ボーナス加点）。
（３）設定変更が完了した時、前回の設定変更完了後に無操作タイマ１９がタイムアップすることなく、次の切替操作を開始していた場合、加点操作に該当する（ボーナス加点）。
【００５９】
（４）設定変更が完了した時、当該切替操作を開始して、ダウンキー１又はアップキー２のいずれかを押下することで、所望の表示項目がある行まで進むとき、操作回数が少ない方のキー操作が行われた場合、加点操作に該当する（ボーナス加点）。
図１１は（４）の加点操作に該当する切替操作を示す説明図である。例えば、切替操作開始点の表示項目がｒ−Ｓで、所望の表示項目がｔであるとき、ダウンキー１の押下で所望の表示項目であるｔのある行まで進む場合、操作回数が４回になるが、アップキー２の押下で所望の表示項目であるｔのある行まで進む場合、操作回数が３回となり、１回だけ操作回数が少なくなる。そのため、アップキー２の押下で所望の表示項目であるｔがある行まで進んで、且つ、さらにｔに進んで設定変更した場合、加点操作に該当するものとする。
【００６０】
無操作時間更新部１８は、熟練度評価部１７がオペレータによる切替操作の熟練度の評価値Ｖを算出すると、下記の式（３）に示すように、その熟練度の評価値Ｖにしたがって無操作時間ＴＮｏｐを更新し、更新後の無操作時間ＴＮｏｐを無操作タイマ１９に設定する（ステップＳＴ１０）。
ＴＮｏｐ＝Ｔｍａｘ−（Ｔｍａｘ−Ｔｍｉｎ）×Ｖ／Ｖｍａｘ          （３）
式（３）において、Ｔｍａｘは予め設定されている最大の無操作時間、Ｔｍｉｎは予め設定されている最小の無操作時間である。
したがって、例えば、最大の無操作時間Ｔｍａｘが１０秒、最小の無操作時間Ｔｍｉｎが２秒、最大熟練度の評価値Ｖｍａｘが１０、熟練度評価部１７により算出された熟練度の評価値Ｖが１０であるとすれば、更新後の無操作時間ＴＮｏｐは、下記の式（４）に示すように、６秒になる。
ＴＮｏｐ＝１０−（１０−２）×１０／２０＝６（秒）        （４）
【００６１】
これにより、無操作タイマ１９は、オペレーション制御部１５によってカウント時間が０リセットされてから、更新後の無操作時間ＴＮｏｐに到達するまでの間に、キー操作受付処理部１４によって新たな切替操作が受け付けられて、カウント時間が０リセットされなければ、タイムアップが発生する。
図１の表示制御装置は、一連の処理を終了するまで、ステップＳＴ１〜ＳＴ１０の処理を繰り返し実行する（ステップＳＴ１１）。
【００６２】
以上で明らかなように、この実施の形態１によれば、キー操作受付処理部１４により切替操作が受け付けられる毎に、オペレーション制御部１５により更新された表示対象の表示項目を示す表示項目履歴を更新する表示項目履歴更新部１６と、表示項目履歴更新部１６により更新された表示項目履歴が示す表示項目の更新順序に基づいてオペレータによる切替操作の熟練度を評価する熟練度評価部１７とを設け、無操作時間更新部１８が、熟練度評価部１７により評価された熟練度にしたがって無操作時間ＴＮｏｐを更新し、更新後の無操作時間ＴＮｏｐを無操作タイマ１９に設定するように構成したので、オペレータの操作に応じて無操作時間ＴＮｏｐが更新されるようになり、その結果、どのオペレータが操作する場合でも、高い操作性を実現することができる効果を奏する。また、切替操作毎に熟練度を評価することで、同一人のオペレータが操作する場合でも、操作項目によって異なる習熟度に応じた、高い操作性を実現することができる効果を奏する。
【００６３】
また、この実施の形態１によれば、表示項目履歴更新部１６により更新された表示項目履歴が示す表示項目の更新順序を参照して、オペレータによる今回の切替操作が減点操作又は加点操作に該当するか否かを判定し、今回の切替操作が減点操作に該当すれば、熟練度の評価を下げて、無操作時間ＴＮｏｐが長くなるように更新し、今回の切替操作が加点操作に該当すれば、熟練度の評価を上げて、無操作時間ＴＮｏｐが短くなるように更新するので、オペレータの熟練度に応じた無操作時間ＴＮｏｐが、オペレータが切替操作を行う毎にリアルタイムに更新されるようになり、その結果、オペレータが途中で代わっても、速やかに代わったオペレータに見合う無操作時間ＴＮｏｐを設定することができる効果を奏する。
【００６４】
実施の形態２．
上記実施の形態１では、表示器１０が２つの表示器を実装しているとして、無操作時間更新部１８が無操作時間ＴＮｏｐを更新するものを示したが、１つの表示器１０が項目名用の表示器とデータ用の表示器を兼ねている場合、無操作タイマ１９が、項目名表示時間用のカウント時間と、データ表示時間のカウント時間とをカウントアップし、オペレーション制御部１５が、キー操作受付処理部１４によって新たな切替操作が受け付けられると、それらのカウント時間を０リセットするので、予め設定されている項目名表示時間とデータ表示時間を無操作時間として更新する必要がある。
【００６５】
この場合、無操作時間更新部１８が、下記の式（５）（６）のようにして、無操作時間である項目名表示時間ＴＮｏｐ１と、無操作時間であるデータ表示時間ＴＮｏｐ２とを更新する。
ＴＮｏｐ１＝Ｔｍａｘ１−（Ｔｍａｘ１−Ｔｍｉｎ１）×Ｖ／Ｖｍａｘ１  （５）
式（５）において、Ｔｍａｘ１は予め設定されている最大の項目名表示時間、Ｔｍｉｎ１は予め設定されている最小の項目名表示時間である。
ＴＮｏｐ２＝Ｔｍａｘ２−（Ｔｍａｘ２−Ｔｍｉｎ２）×Ｖ／Ｖｍａｘ２  （６）
式（６）において、Ｔｍａｘ２は予め設定されている最大のデータ表示時間、Ｔｍｉｎ２は予め設定されている最小のデータ表示時間である。
【００６６】
したがって、無操作タイマ１９は、オペレーション制御部１５によって項目名表示時間用のカウント時間が０リセットされてから、更新後の無操作時間である項目名表示時間ＴＮｏｐ１に到達するまでの間に、キー操作受付処理部１４によって新たな切替操作が受け付けられて、そのカウント時間が０リセットされなければ、タイムアップが発生する。これにより、オペレーション制御部１５が、表示器１０の表示内容を現在表示中の表示項目に対応する項目別データに切り替える指示を表示処理部１３に出力し、表示器１０の表示内容が切り替えられる。
また、無操作タイマ１９は、オペレーション制御部１５によってデータ表示時間用のカウント時間が０リセットされてから、更新後の無操作時間であるデータ表示時間ＴＮｏｐ２に到達するまでの間に、キー操作受付処理部１４によって新たな切替操作が受け付けられて、そのカウント時間が０リセットされなければ、タイムアップが発生する。これにより、オペレーション制御部１５が、表示器１０の表示内容を初期表示対象の表示項目の項目名に切り替える指示を表示処理部１３に出力し、表示器１０の表示内容が切り替えられる。
【００６７】
実施の形態３．
上記実施の形態１では、２つの表示器が実装されている場合においては、設定変更可能な表示項目が通常モードのときに、オペレータがシフトキー３を長押しすると、動作モードが通常モードから設定モードに切り替わり、設定モードのときにオペレータがシフトキー３を長押しすると、ダウンキー１又はアップキー２による項目別データの変更が確定する例を示している。
また、１つの表示器１０が項目用の表示器とデータ用の表示器を兼ねている場合には、設定変更可能な表示項目がデータモードのときに、オペレータがシフトキー３を長押しすると、動作モードがデータモードから設定モードに切り替わり、設定モードのとき、オペレータがシフトキー３を長押しすると、ダウンキー１又はアップキー２による項目別データの変更が確定する例を示している。
【００６８】
この実施の形態３では、オペレータによるシフトキー３の押下時間（オペレータがシフトキー３を押し続けている時間）が予め設定されている長押し時間ＴＬｏｎｇより長い場合に限り、キー操作受付処理部１４が、予め規定されている処理の実行（例えば、動作モードの切り替わり処理、項目別データの変更確定処理など）を指示するシフトキー３の長押し操作を受け付けるようにしている。
この場合、オペレーション制御部１５は、熟練度評価部１７による熟練度の評価値Ｖが高くなれば、その長押し時間ＴＬｏｎｇが短くなるように更新し、熟練度評価部１７による熟練度の評価値Ｖが下がれば、その長押し時間ＴＬｏｎｇが長くなるように更新する。
これにより、熟練度の評価値Ｖに応じて、オペレータによるシフトキー３の長押し操作を制御することができる。
この実施の形態３では、キー操作受付処理部１４が長押し操作受付手段を構成し、オペレーション制御部１５が長押し時間更新手段を構成している。
【００６９】
実施の形態４．
上記実施の形態１では、設定モードのとき、オペレータがダウンキー１を押下すると、現在選択中の表示項目に対応する表示中の項目別データ（設定値）を下げる変更が行われ、オペレータがアップキー２を押下すると、現在選択中の表示項目に対応する表示中の項目別データ（設定値）を上げる変更が行われる例を示している。
この実施の形態４では、オペレータがアップキー２を押下し続けると、キー操作受付処理部１４が、現在選択中の表示項目に対応する表示中の項目別データ（設定値）を連続的に上げる操作として、オペレータによるアップキー２の長押し操作を受け付けるようにする。
また、オペレータがダウンキー１を押下し続けると、キー操作受付処理部１４が、その項目別データ（設定値）を連続的に下げる操作として、オペレータによるダウンキー１の長押し操作を受け付けるようにする。
【００７０】
オペレーション制御部１５は、キー操作受付処理部１４が、アップキー２の長押し操作を受け付けると、その長押し操作が行われている期間中、予め設定されている変更周期Ｃで表示中の項目別データ（設定値）を上げる処理を実施する。
例えば、アップキー２の長押し操作の操作時間が１０秒である場合、仮に変更周期Ｃが０．５秒に設定され、変更周期毎の設定値の上げ幅が１に設定されているとすれば、項目別データの値は、２０（＝１×１０／０．５）だけ上げられる。
【００７１】
また、オペレーション制御部１５は、キー操作受付処理部１４が、ダウンキー１の長押し操作を受け付けると、その長押し操作が行われている期間中、予め設定されている変更周期Ｃで表示中の項目別データ（設定値）を下げる処理を実施する。
例えば、ダウンキー１の長押し操作の操作時間が８秒である場合、仮に変更周期Ｃが０．５秒に設定され、変更周期毎の設定値の下げ幅が１に設定されているとすれば、項目別データの値は、１６（＝１×８／０．５）だけ下げられる。
【００７２】
オペレーション制御部１５は、予め設定されている変更周期Ｃを管理しており、熟練度評価部１７による熟練度の評価値Ｖが高くなれば、その変更周期Ｃが短くなるように更新し、熟練度評価部１７による熟練度の評価値Ｖが下がれば、その変更周期Ｃが長くなるように更新する。
これにより、熟練度の評価値Ｖに応じて、オペレータによるダウンキー１又はアップキー２の長押し操作（項目別データ（設定値）を連続的に下げる操作／上げる操作）を制御することができる。
この実施の形態４では、キー操作受付処理部１４が連続変更操作受付手段を構成し、オペレーション制御部１５がデータ値変更手段及び変更周期更新手段を構成している。
【００７３】
実施の形態５．
上記実施の形態１では、キー操作受付処理部１４がオペレータによる表示項目の切替操作として、ダウンキー１、アップキー２又はシフトキー３の押下に伴う表示項目の切替操作を受け付けるものを示したが、この実施の形態５では、さらに、キー操作受付処理部１４が、熟練度評価部１７による熟練度の評価値Ｖが予め設定された閾値Ｔｖ１より高ければ、図３の階層構造に係る複数の表示項目と異なる階層構造を持つ複数の表示項目（例えば、専門的知識を有するユーザが確認する表示項目）を表示するための表示項目変更操作（例えば、ダウンキー１とアップキー２を同時に長押しする操作）を受け付ける一方、熟練度評価部１７による熟練度の評価値Ｖが閾値Ｔｖ１より低ければ、その表示項目変更操作を受け付けないようにしてもよい。
オペレーション制御部１５は、キー操作受付処理部１４により表示項目変更操作が受け付けられた場合、図３の階層構造に係る複数の表示項目と異なる表示項目を表示器１０に表示する指示を表示処理部１３に出力する。
これにより、熟練度が高いユーザに対してのみ、特別な表示項目を提示することができるなどの効果が得られる。
【００７４】
実施の形態６．
上記実施の形態１では、２つの表示器が実装されている場合においては、設定変更可能な表示項目が通常モードのときに、オペレータがシフトキー３を長押しすると、動作モードが通常モードから設定モードに切り替わり、項目別データ（設定値）の変更操作が可能であった。
この実施の形態６では、熟練度評価部１７による熟練度の評価値Ｖが予め設定された閾値Ｔｖ２より高い場合に限って、オペレータがシフトキー３を長押しすると、キー操作受付処理部１４が動作モードを通常モードから設定モードへ変更する操作を受け付けるようにし、熟練度評価部１７による熟練度の評価値Ｖが予め設定された閾値Ｔｖ２より低い場合には、オペレータがシフトキー３を長押ししたとしても動作モードを通常モードから変更しないようにしている。これにより、熟練度が一定値に満たないユーザに対してのみ、変更操作の制限を加えることができる。
変更操作の制限に関しては、１つの表示器１０が項目用の表示器とデータ用の表示器を兼ねている場合においても同様に、データモードから設定モードへの変更操作であることは言うまでもない。
この実施の形態６では、キー操作受付処理部１４がデータ変更操作受付手段を構成している。
【００７５】
実施の形態７．
上記実施の形態１では、キー操作受付処理部１４がオペレータによる表示項目の切替操作として、ダウンキー１、アップキー２又はシフトキー３の押下に伴う表示項目の切替操作を受け付ける例を示している。
この実施の形態７では、上記実施の形態１と異なり、表示項目の切替操作を制限している。
即ち、この実施の形態７では、熟練度評価部１７による熟練度の評価値Ｖが予め設定された閾値Ｔｖ３以下になると、以降、キー操作受付処理部１４が、オペレータによる表示項目の切替操作の受け付けを一時停止して、表示器１０に警告内容を表示するようにしている。ただし、切替操作の受け付けを停止した後、例えば、熟練度の評価値Ｖが初期化されるなどによって、熟練度の評価値Ｖが閾値Ｔｖ３より高くなると、オペレータによる表示項目の切替操作の受け付けが再開される。
これにより、子供のいたずらや誤操作などによる表示項目の切替操作に一定の制限を加えることができる。
【００７６】
実施の形態８．
上記実施の形態１では、熟練度評価部１７が、表示項目履歴更新部１６により更新された表示項目履歴が示す表示項目の更新順序や設定値の更新に基づいてオペレータによる切替操作の熟練度の評価値Ｖを算出するものを示したが、この実施の形態８では、予め設定された時間、連続してキー操作受付処理部１４により切替操作が受け付けられない場合、熟練度評価部１７が、熟練度の評価値Ｖを初期値に戻すようにしてもよい。
【符号の説明】
【００７７】
１  ダウンキー（切替操作受付手段）、２  アップキー（切替操作受付手段）、３  シフトキー（切替操作受付手段）、１０  表示器、１１  階層構造記憶部（階層構造記憶手段）、１２  項目別データ記憶部、１３  表示処理部（初期表示手段、表示切替手段、表示リセット手段）、１４  キー操作受付処理部（切替操作受付手段、長押し操作受付手段、連続変更操作受付手段、データ変更操作受付手段）、１５  オペレーション制御部（初期表示手段、表示切替手段、表示リセット手段、長押し時間更新手段、データ値変更手段、変更周期更新手段）、１６  表示項目履歴更新部（熟練度評価手段）、１７  熟練度評価部（熟練度評価手段）、１８  無操作時間更新部（無操作時間更新手段）、１９  無操作タイマ（表示リセット手段）。
【図１】
2016006078.tif 000003
【図２】
2016006078.tif 000004
【図３】
2016006078.tif 000005
【図４】
2016006078.tif 000006
【図５】
2016006078.tif 000007
【図６】
2016006078.tif 000008
【図７】
2016006078.tif 000009
【図８】
2016006078.tif 000010
【図９】
2016006078.tif 000011
【図１０】
2016006078.tif 000012
【図１１】
2016006078.tif 000013
【国際調査報告】
2016006078.tif 000014
2016006078.tif 000015